(57)【要約】      （修正有）【課題】印刷物にメディアディスクが添付されていることを簡単かつ迅速に視認できるメディアディスク付印刷物を提供する。【解決手段】少なくとも表表紙３および裏表紙５を有する印刷物２と、この印刷物２の表表紙３および裏表紙５の少なくとも一方の外面３ａ上に載置される中心孔４ａを有するメディアディスクと、表表紙３および裏表紙５の少なくとも一方の切込みにより形成される舌片を備える。この舌片がメディアディスクの中心孔４ａ内で起立されたときに、この中心孔４ａに係止される食み出し部７ｃ，８ｃをこの舌片に形成し、メディアディスクを固定する固定用舌片７，８と、を具備している。【選択図】図１
0003167719.tif 000002
【実用新案登録請求の範囲】
【請求項１】
少なくとも表表紙および裏表紙を有する印刷物と、
この印刷物の表表紙および裏表紙の少なくとも一方の外面上に載置される中心孔を有するメディアディスクと、
前記表表紙および裏表紙の少なくとも一方の切込みにより形成される舌片を有し、この舌片が前記メディアディスクの中心孔内で起立されたときに、この中心孔に係止される係止部をこの舌片に形成し、メディアディスクを固定する固定部と、
を具備していることを特徴とするメディアディスク付印刷物。
【請求項２】
前記固定部は、前記印刷物の表表紙に形成され、この表表紙の外面上に載置されたメディアディスクを支持し固定するように構成されていることを特徴とする請求項１記載のメディアディスク付印刷物。
【請求項３】
前記固定部は、前記印刷物の表表紙と裏表紙とにそれぞれ形成され、この表表紙と裏表紙の外面上にそれぞれ載置されたメディアディスクを支持し固定するように構成されていることを特徴とする請求項１記載のメディアディスク付印刷物。
【請求項４】
前記固定部は、一対のほぼ茸形の切込みにより形成されていることを特徴とする請求項１記載のメディアディスク付印刷物。
【考案の詳細な説明】
【技術分野】
【０００１】
本考案は、例えばパンフレット（冊子）等の印刷物に、ＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）等のメディアディスクを添付したメディアディスク付印刷物に関する。
【背景技術】
【０００２】
従来、例えばパンフレット（冊子）等の印刷物に、メディアディスクを添付する場合は、冊子の中にメディアディスクを閉じ込む構成を採用していた。この場合、メディアディスクは、冊子の中に綴じ込められた紙製のパッケージにより収容するものが知られている（例えば、特許文献１，２参照）。
【０００３】
この特許文献１に記載のコンパクトディスクケースは、折り畳まれた厚紙によりＣＤの両面を挟持すると共に、この折り畳まれた厚紙の一方の内面に設けた帯状ホルダーにより、ＣＤを径方向で支持し、さらに、この帯状ホルダーの中央に設けた折り曲げ可能の舌片をＣＤの中心孔のスピンドル孔に挿入することにより、ＣＤを厚紙に固定している。
【０００４】
また、特許文献２に記載のＣＤケースは、折り畳まれた厚紙によりＣＤの両面を挟持すると共に、このＣＤの直径方向で対向する左右の外周縁部の一部をそれぞれ挿入させる切込みを厚紙の左右の折り目上にそれぞれ設け、ＣＤを固定している。
【先行技術文献】
【特許文献】
【０００５】
【特許文献１】実開平２−４８５９２号公報
【特許文献２】特開２００４−１９６３７７号公報
【考案の概要】
【考案が解決しようとする課題】
【０００６】
しかしながら、上記従来方法では、冊子の中にＣＤを綴じ込んでしまうので、冊子の中にＣＤが閉じ込んであるか否かを冊子の外面を見ただけでは確認できない。
【０００７】
このために、冊子が家庭等ユーザに配布された場合に、ユーザに、一目でＣＤやＤＶＤ等のメディアディスクが冊子に添付されていることを分らせ、興味を喚起させることができるものが要請されていた。
【０００８】
本考案は、このような事情を考慮してなされたもので、その目的は、印刷物にメディアディスクが添付されていることを簡単かつ迅速に視認できるメディアディスク付印刷物を提供することを目的とする。
【課題を解決するための手段】
【０００９】
請求項１に係るメディアディスク付印刷物は、少なくとも表表紙および裏表紙を有する印刷物と、この印刷物の表表紙および裏表紙の少なくとも一方の外面上に載置される中心孔を有するメディアディスクと、前記表表紙および裏表紙の少なくとも一方の切込みにより形成される舌片を有し、この舌片が前記メディアディスクの中心孔内で起立されたときに、この中心孔に係止される係止部をこの舌片に形成し、メディアディスクを固定する固定部と、を具備していることを特徴とする。
【００１０】
請求項２に係るメディアディスク付印刷物は、前記固定部が、前記印刷物の表表紙に形成され、この表表紙の外面上に載置されたメディアディスクを支持し固定するように構成されていることを特徴とする。
【００１１】
請求項３に係るメディアディスク付印刷物は、前記固定部が、前記印刷物の表表紙と裏表紙とにそれぞれ形成され、この表表紙と裏表紙の外面上にそれぞれ載置されたメディアディスクを支持し固定するように構成されていることを特徴とする。
【００１２】
請求項４に係るメディアディスク付印刷物は、前記固定部が、一対のほぼ茸形の切込みにより形成されていることを特徴とする。
【考案の効果】
【００１３】
本考案によれば、目につき易い印刷物の表表紙および裏表紙の少なくとも一方の外面に、ＣＤやＤＶＤ等のメディアディスクを固定部により固定して添付するので、このメディアディスクを簡単かつ迅速に視認できる。
【図面の簡単な説明】
【００１４】
【図１】本考案の一実施形態に係るメディアディスク付印刷物の斜視図。
【図２】図１で示す印刷物の平面図。
【図３】図１で示すメディアディスクの平面図。
【図４】図１のＩＶ−ＩＶ線断面図。
【図５】図１で示すメディアディスク付印刷物のＶ矢視図。
【図６】図２で示す固定部の変形例を示す要部平面図。
【図７】（Ａ）は同、固定部の他の変形例を示す要部拡大平面図、（Ｂ）は同，折曲げ後の要部拡大平面図。
【考案を実施するための形態】
【００１５】
以下、本考案の実施形態を図面に基づいて説明する。なお、複数の添付図面中、同一または相当部分には同一符号を付している。
【００１６】
図１は本考案の一実施形態に係るメディアディスク付印刷物１の斜視図、図２は図１で示す印刷物の平面図、図３は図１で示すメディアディスクの平面図である。
【００１７】
図１に示すように、メディアディスク付印刷物１は、パンフレットやカタログ等の冊子を含む印刷物２の、例えば表表紙３の外面３ａに、ＤＶＤやＣＤ等のメディアディスク４を添設している。
【００１８】
印刷物２は所要大の紙やフィルム、布、その他の物に、凸版や凹版、平版、孔版等により印刷したものであり、パンフレットやカタログ等の冊子や、所要大の種々の書籍を含む。
【００１９】
そして、印刷物２は、印刷業界でいわゆる表１といわれる表表紙３と、同表４といわれる裏表紙５を有する。これら表，裏表紙３，５は、例えば平面形状が矩形平板状に形成され、これらの間に綴じ込められる中間紙よりも硬い、または厚い紙等により形成される場合もあるが、中間紙６，６，…とほぼ同じ硬さや厚さを有する場合でも本考案を適用できる。
【００２０】
メディアディスク３は、例えば直径８０ｍｍのＤＶＤであるが、直径１２０ｍｍまたはそれ以上の大きさのＤＶＤでもよい。また、ＣＤでもよく、メディアディスクであればよい。
【００２１】
メディアディスク４は、印刷物２に記載された情報と関連する情報または関連しない他の情報が電磁的または光学的に記録された円盤状のメディアディスクであり、これを回転駆動する図示しない読取り装置の駆動モータのスピンドルを挿入させるほぼ真円の中心孔４ａを具備している。この中心孔４ａの外周には、所要幅のリング状の透明部４ｂが同心状に形成されている。
【００２２】
またメディアディスク４は、その外表面に、文字や図形等所要の情報を印刷したラベル４ｃが固着されている。
【００２３】
図２に示すように印刷物２には、表表紙３の外面３ａの所要箇所、例えば中央部に、固定部の一例である図中上下一対の固定用舌片７，８を形成している。
【００２４】
これら固定用舌片７，８は、表表紙３を板厚方向に貫通する切込み線により、所要形状、例えば茸形に形成された上下一対の舌片７ｏ，８ｏを有する。これら一対の舌片７ｏ，８ｏは、メディアディスク４の中心孔４ａの中心を通って２等分する水平中心線ＯＬを対称軸として図２中上下対称にそれぞれ茸形に形成され、係止部の一例である茎部７ａ，８ａと、笠部７ｂ，８ｂとをそれぞれ一体に連成している。
【００２５】
これら上下一対の笠部７ｂ，８ｂは上下合せた状態で図２中横方向に長いほぼ卵形に形成され、その長径方向の長さは、メディアディスク４のほぼ真円の中心孔４ａの直径よりも所要長長く形成され、この中心孔４ａの外周よりも外方へ所要長食み出す食み出し部７ｃ，８ｃが長径方向両端部にそれぞれ一体に形成されている。
【００２６】
図２中上方の笠部７ｂは、その上端の長径方向ほぼ中間部において、図中上方へ延在する所要幅の平行２線の切込み線よりなる茎部７ａを一体に連成している。同様に図２中下方の笠部８ｂは、その下端の長径方向ほぼ中間部において、図中下方へ延在する所要幅の平行２線の切込み線よりなる茎部８ａを一体に連成している。
【００２７】
これら上下一対の茎部７ａ，８ａは、図２中上下方向へそれぞれ延伸し、メディアディスク４の中心孔４ａの外周よりも若干外側で終端している。したがって、これら一対の固定用舌片７，８は、その各茎部７ａ，８ａの終端を基端として、印刷物２の表表紙３の表裏方向のいずれへも折曲することができる。このために、一対の固定用舌片７，８は、各茎部７ａ，８ａの終端を基端として起立するように折曲することによりメディアディスク４の中心孔４ａ内をその裏面側から表面側へ起立させることができる。
【００２８】
次に、印刷物２の表表紙３の外面３ａに、メディアディスク４を一対の固定用舌片７，８により固定する方法を説明する。
【００２９】
まず、図１に示すように印刷物２の表表紙３の外面３ａに形成されている一対の固定用舌片７，８を上下に合せたときの平面形状の中心に、メディアディスク４の中心孔４ａの中心に一致させる位置合せを行い、しかる後に、印刷物２の表表紙３の外面３ａ上にメディアディスク４を載置する。
【００３０】
次に、メディアディスク４の中心孔４ａ内に位置する図２中上下一対の固定用舌片７，８の笠部７ｂ，８ｂの一方、例えば上方の笠部７ｂを指先により、表面側から裏面側へ若干押し込む。
【００３１】
すると、上下一対の固定用舌片７，８の笠部７ｂ，８ｂ同士の合せ面に若干の間隙が形成される。そこで、この間隙に指先を挿入して他方、例えば下方の固定用舌片８の笠部８ｂを図４に示すようにメディアディスク４の中心孔４ａの表面側へ引き出し、中心孔４ａ内で起立させる。この後、この中心孔４ａよりも外面側へ突出した笠部８ｂを、茎部８ａとの湾曲境界部に沿って図１中上方側へほぼ直角に折り曲げ、中心孔４ａの外面上に密着させてほぼ平行に並設する。
【００３２】
これにより、下方の固定用舌片８の笠部８ｂはメディアディスク４の中心孔４ａの外周よりも外方へ食み出す図１中左右両端の食み出し部８ｃ，８ｃが中心孔４ａの外周縁部にそれぞれ当接するが、これらの食み出し部８ｃ，８ｃは紙製であり、弾性を有するので、弾性変形して中心孔４ａの裏面側から表面側へそれぞれ引き出され、表面側へ引き出されたときに、これら食み出し部８ｃは、その紙の弾性復元力により、原形に復元される。これにより、食み出し部８ｃは中心孔４ａの表面側で、その開口縁部よりも若干食み出す。この食み出し状態は紙の剛性により保持される。
【００３３】
これにより、図５に示すように、まず、図中下方の固定用舌片８の左右の食み出し部８ｃ，８ｃはその弾性力により、メディアディスク４を、その厚さ方向と長径方向とに弾性的に保持する。また、中心孔４ａ内で起立する茎部７ｂの起立部により、中心孔４ａの内周面を図中上方側へ支持する。
【００３４】
次に、この下方の固定用舌片８の引出しないし起立により、図１中上方の固定用舌片７との間に間隙が形成されるので、その間隙に指先を挿入して、この上方の固定用舌片７を上記下方の固定用舌片８と同様にメディアディスク４の中心孔４ａから、その表面側へ引き出し、中心孔４ａ内で起立させる。この後、この中心孔４ａよりも外面側へ突出した笠部７ｂを、茎部７ａとの湾曲境界部に沿って図１中下方側へほぼ直角に折り曲げ、中心孔４ａの外面上に密着させてほぼ平行に並設する。
【００３５】
これにより、上下一対の固定用舌片７，８の各笠部７ｂ，８ｂが中心孔４ａ上に密着した状態で水平方向に展開される。そして、これら一対の固定用舌片７，８の起立状態ないし形状は、紙の剛性により保持される。これにより、下方の固定用舌片８と同様に、上方の固定用舌片７は、その茎部７ａにより中心孔４ａの内周面の図中下部を図中下方へ支持すると共に、その笠部７ｂの左右の食み出し部７ｃ，７ｃにより、中心孔４ａの開口周縁部を、その厚さ方向と長径方向とにより支持することができる。
【００３６】
図４は、これら一対の固定用舌片７，８をメディアディスク４の中心孔４ａから、その表面側へ引出し起立させたときのメディアディスク付印刷物１の側断面図（ＩＶ−ＩＶ線断面図）であり、図５はメディアディスク付印刷物１のＶ矢視図である。
【００３７】
これら図４，図５に示すように一対の固定用舌片７，８の各茎部７ａ，８ａにより、メディアディスク４の中心孔４ａを直径方向外方（図１，図２中上下方向）へそれぞれ弾性的に支持し固定することができる。
【００３８】
また、上下一対の固定用舌片７，８の左右の食み出し部７ｃ，７ｃ、８ｃ，８ｃの４箇所により、メディアディスク４の中心孔４ａの周縁部を表表紙３側へそれぞれ弾性的に押圧して固定することができる。
【００３９】
すなわち、一対の固定用舌片７，８の各茎部７ａ，８ａの２箇所と、笠部７ｂ，８ｂの食み出し部７ｃ，７ｃ、８ｃ，８ｃの４箇所とにより、メディアディスク４を表表紙３、すなわち、印刷物２に固定するので、その固定の確実性の向上を図ることができる。これら一対の固定用舌片７，８によりメディアディスク４を支持し固定する力は、表表紙３の紙質や厚さ等による弾性力と剛性を適宜選択することにより、調整できる。
【００４０】
したがって、このメディアディスク付印刷物１によれば、印刷物２の目立つ表表紙３の外面３ａにメディアディスク４を固定したので、ユーザは一目でメディアディスク４が印刷物２に添付されていることを視認できる。これにより、ユーザの興味を素早く喚起することができる。
【００４１】
一方、このように印刷物２の表表紙３に固定されているメディアディスク４を、印刷物２から取り外す場合は、メディアディスク４の中心孔４ａから外方へ突出している一対の固定用舌片７，８をこの中心孔４ａの裏面側へ指先等により押し込むことにより、固定用舌片７，８によるメディアディスク４の支持ないし固定状態を解除して簡単かつ迅速に行うことができる。
【００４２】
そして、一対の固定用舌片７，８は表表紙３の切込みにより形成するので、これら固定用舌片７，８を簡単迅速かつ大量安価に形成することができる。
【００４３】
なお、上記一対の固定用舌片７，８では、その笠部７ｂ，８ｂの形状を両者合せた状態で平面形状がほぼ卵形になるように形成した場合について説明したが、本考案はこれに限定されるものではなく、任意の形状でよい。例えば図６で示す一対の固定用舌片１７，１８のように、舌片１７ｏ，１８ｏの笠部１７ｂ，１８ｂの形状をそれぞれ角形に成形してもよい。すなわち、一対の固定用舌片１７，１８は、その各茎部１７ａ，１８ａの先端に、角形の笠部１７ｂ，１８ｂをそれぞれ一体に連成している。この場合でも各笠部１７ｂ，１８ｂには、メディアディスク４の中心孔４ａから外方へ若干食み出す食み出し部１７ｃ，１７ｃ、１８ｃ，１８ｃをそれぞれ形成し、これら食み出し部１７ｃ，１７ｃ、１８ｃ，１８ｃと各茎部１７ａ，１８ａとにより、メディアディスク４を表表紙３の外面３ａに固定することができる。
【００４４】
図７はさらに他の固定用舌片２０，２１，２２，２３の要部拡大平面図である。この固定用舌片２０，２１，２２，２３は、メディアディスク４の中心孔４ａに相当する部位とその周辺部において、表表紙３に、中心孔４ａの中心と同心状の例えば十字状の切込みを入れて、例えば４つの扇形の固定用舌片２０，２１，２２，２３を形成し、これら固定用舌片２０，２１，２２，２３を中心孔４ａの表面側の周縁部側へ折り返すことにより、この中心孔４ａの周縁部を支持し、印刷物２の表表紙３の外面に固定することができる。これにより、図１等で示す上記固定用舌片７，８とほぼ同様の作用効果を奏することができる。
【００４５】
そして、上記実施形態では、メディアディスク４を固定用舌片により印刷物２の表表紙３の外面３ａに固定する場合について説明したが、本考案はこれに限定されるものではなく、例えばメディアディスク４を裏表紙５の外面に固定してもよく、さらに、表表紙３と裏表紙５の外面の両面に固定してもよい。また、このようにメディアディスク４を添設した印刷物２を透明の袋内に密に収容することにより、この透明袋を透視してメディアディスク４を一目で視認できるように形成し、さらに、この透明袋の表裏両面により、メディアディスク４を印刷物２側へ押圧することにより、メディアディスク４の印刷物２の固定用舌片に対する支持力ないし固定力の増強を図ることができる。
【００４６】
以上、本考案の幾つかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置換え、変更を行うことができる。これら実施形態やその変形は、考案の範囲や要旨に含まれるとともに、実用新案登録請求の範囲に記載された考案とその均等の範囲に含まれる。
【符号の説明】
【００４７】
１…メディアディスク付印刷物、２…印刷物、３…表表紙、３ａ…外面、４…メディアディスク、４ａ…中心孔、５…裏表紙、７，８…一対の固定用舌片、７ａ，８ａ…茎部、７ｂ，８ｂ…笠部、７ｃ，８ｃ…食み出し部。
【図１】
0003167719.tif 000003
【図２】
0003167719.tif 000004
【図３】
0003167719.tif 000005
【図４】
0003167719.tif 000006
【図５】
0003167719.tif 000007
【図６】
0003167719.tif 000008
【図７】
0003167719.tif 000009